(57)【要約】錠剤を保持する容器を具備するシャシー（１２）を含む子供が悪戯できない錠剤ディスペンサーが記載される。錠剤コンベヤーは、錠剤を受容するポケット（１８）を含み、かつポケット（１８）がディスペンサーの外側からアクセスク可能な閉鎖位置と、ポケット（１８）がディスペンサーの外側からアクセス可能な開放位置との間で回動可能である。錠剤コンベヤーがその閉鎖位置にある場合、シャシーは、区画室とポケット（１８）との間の経路を規定する。錠剤コンベヤーがその開放位置にある場合、この経路は錠剤コンベヤー（１４）によって塞がれる。錠止装置（２０、２２）はその閉鎖位置で解放可能に錠剤コンベヤーを錠止するために設けられる。
2006500291.tif 000002
【特許請求の範囲】
【請求項１】
錠剤ディスペンサーであって、
錠剤を保持する貯蔵器が内部に形成されたシャシーと、
前記シャシーに回動可能に装着された錠剤コンベヤーであって、前記錠剤コンベヤーは錠剤を受容するポケットを内部に含み、前記錠剤コンベヤーは前記ポケットが前記ディスペンサーの外側からアクセスク不可能な閉鎖位置と、前記ポケット前記ディスペンサーの外側からアクセス可能な開放位置との間で回動可能であり、前記シャシーは前記錠剤コンベヤーがその閉鎖位置にある時に前記貯蔵器と前記錠剤コンベヤーとの間に経路を規定する少なくとも１つの表面を含み、前記経路は前記錠剤コンベヤーがその開放位置にある時に該錠剤コンベヤーによって塞がれる、前記錠剤コンベヤーと、
前記錠剤コンベヤーをその閉鎖位置に解放可能に錠止する錠止機構と、を備える錠剤ディスペンサー
【請求項２】
前記錠剤コンベヤーはカバープレート及び該カバープレートから下向きに延在する面プレートを備え、前記ポケットは前記面プレートに形成される、請求項１に記載のディスペンサー。
【請求項３】
前記錠剤コンベヤーは前記シャシーの区画室内に装着され、前記面プレートの底部端縁が前記区画室の表面に当接する、請求項２に記載のディスペンサー。
【請求項４】
前記錠剤コンベヤーがその開放位置にある時、前記面プレートは前記錠剤区画室と前記ポケットとの間の経路を塞ぐ、請求項２に記載のディスペンサー。
【請求項５】
前記錠剤コンベヤーは前記カバープレートから下向きに延在する一対の耳部を含み、各耳部には結節が形成され、前記結節は、前記錠剤コンベヤーが該結節の回りで回動するように前記シャシーの受容開口内に嵌合する、請求項２に記載のディスペンサー。
【請求項６】
前記錠剤コンベヤーは前記カバープレートから下向きに延在する後部プレートを含み、前記錠止機構が、前記後部プレートに添付された弾発的に変形可能なストラップを含み、前記ストラップは前記錠剤コンベヤーをその閉鎖位置に保持するために前記シャシー上の棚に突き当てる、請求項２に記載のディスペンサー。
【請求項７】
前記ストラップは、前記後部プレートから離れて、外向きに湾曲し、前記ストラップに圧力を加えることにより該ストラップを前記後部プレートに対して平らにする、請求項６に記載のディスペンサー。
【請求項８】
前記錠剤貯蔵器と前記錠剤コンベヤー・ポケットとの間の前記経路は漏斗形状をしている、請求項６に記載のディスペンサー。
【請求項９】
前記錠剤貯蔵器と前記錠剤コンベヤー・ポケットとの間の前記経路は、１つの錠剤を保持するように寸法づけられたシュートに終端する、請求項８に記載のディスペンサー。
【請求項１０】
錠剤が前記錠剤コンベヤー・ポケットに装填される時に、前記シュート内の錠剤が前記錠剤コンベヤー・ポケット内に突出するように、前記錠剤コンベヤー・ポケットは１つの錠剤より深く寸法づけられる、請求項９に記載のデイスペンサー。
【請求項１１】
前記錠剤コンベヤーが弾発性変形可能材料から製造組立され、その結果、圧力が前記錠止ストラップに加えられる時、前記シュート内の錠剤は前記錠剤コンベヤー・ポケット内にもはや突出しないように該シュート内の錠剤を押圧する、請求項１０に記載のディスペンサー。
【請求項１２】
子供が悪戯できない態様で錠剤を包装する方法であって、
ディスペンサーの貯蔵器内に錠剤を密封する段階と、
前記貯蔵器からの錠剤を前記ディスペンサーに回動可能に装着された錠剤コンベヤーのポケット内へ移動させる段階と、
前記錠剤コンベヤーを解放する段階と、
前記ポケットが前記ディスペンサーの外側からアクセス不可能な閉鎖位置から、前記ポケットが前記ディスペンサーの外側からアクセス可能な開放位置に前記錠剤コンベヤーを回動させる段階と、を備える方法。
【請求項１３】
前記錠剤コンベヤーを解放する段階は、前記錠剤コンベヤーの後部表面に付されたラッチストラップに圧力を加える段階を含む、請求項１２に記載の方法。
【請求項１４】
前記錠剤コンベヤーを解放する段階は、前記コンベヤー・ポケット内で突出する第２の錠剤がもはや前記ポケット内に突出しないように圧力を加える段階を更に含む、請求項１３に記載の方法。
【発明の詳細な説明】
【技術分野】
【０００１】
本発明は一般的に製品包装の分野に関し、特に子供が悪戯できない錠剤ディスペンサーに関する。
【背景技術】
【０００２】
子どもが開放するのが難しい様々なボトル及び他の錠剤コンテナーが開発されてきた。例えば、錠剤は、それをねじる間にキャップ上に押下することによって取り外し得るのみのキャップを具備するボトルで一般に包装される。しかしながら、このタイプボトルは多くの欠点を有する。第一に、子供がどうにかしてボトルを開放すれば、子供はボトルの全内容物に対して即時にアクセスを有する。第二に、ボトルの成人の使用者がそれを開放した後にボトルを適切に閉じなければ、セキュリティ形状構成は完全に破り得る。第３に、子供が悪戯できないキャップは、通常、単一のセキュリティ系統のみしか与えない。錠止するキャップの構造上の不備がある場合、他の機構は子供がボトルの内容物へのアクセスを得するのを妨げるために、通常、提供されない。
【発明の開示】
【発明が解決しようとする課題】
【０００３】
本発明の態様は、様々な長所を有する子供が悪戯できない錠剤ディスペンサーを提供する。錠剤ディスペンサーは、錠剤を保持するための容器を具備するシャシーを含む。錠剤コンベヤーは、シャシー内に回動可能に装着される。錠剤コンベヤーは、錠剤を受容するポケットを含み、かつポケットがディスペンサーの外側からアクセスク不可能な閉鎖位置と、ポケットがディスペンサーの外側からアクセス可能な開放位置との間で回動可能である。錠剤コンベヤーがその閉鎖位置にある場合、シャシーは、区画室とポケットとの間の経路を規定する。錠剤コンベヤーがその開放位置にある場合、この経路は錠剤コンベヤーによって塞がれる。錠止機構はその閉鎖位置で解放可能に錠剤コンベヤーを錠止するように設けられる。
【０００４】
本発明の更なる特徴及び利点は、以下の詳細な説明及び添付図面を参照すれば明白になる。
【発明を実施するための最良の形態】
【０００５】
図１は、本発明の第１態様による子供が悪戯できない錠剤ディスペンサー１０の斜視図を示す。錠剤ディスペンサー１０は、実質的に矩形輪郭を有するシャシー１２を含む。「コイン」と呼称される、錠剤コンベヤー１４がシャシー内に装着される。錠剤コンベヤー１４は、第１の閉鎖位置と、第２の開放位置との間で回動する。図２〜図４は、ディスペンサー１０から錠剤１６を解放するために錠剤コンベヤー１４がその解放位置に回動するディスペンサー１０の異なる角度からの斜視図である。
【０００６】
図３に示すように、錠剤コンベヤー１４は錠剤１６を受容するように寸法づけられたポケット１８を含む。錠剤コンベヤー１４がその閉鎖位置にある場合、ポケット１８はディスペンサー１０内に封入され、かつディスペンサーの外側からアクセス不可能である。錠剤コンベヤー１４が図３に示すその開放位置にある場合に限り、ポケット１８はディスペンサーの外側からアクセス可能である。
【０００７】
錠剤コンベヤー１４には、その閉鎖位置内に解放可能に錠剤コンベヤー１４を錠止する錠止機構が設けられる。本発明のこの態様によれば、錠止装置には、図４から分かるように、例えば、錠剤コンベヤーの後部表面に取り付けられた弾発的に変形可能なラッチストラップ２０によって提供される。他の錠止装置は本発明の精神から逸脱せずに使用し得る。ストラップ２０はシャシー１２上の棚２２に被さるように外向きに垂下する。その載置位置で、ストラップ２０は、錠剤コンベヤー１４がその開放位置に回動しないように阻止するために棚２２に当接する。
【０００８】
錠剤コンベヤー１４は、ストラップ２０を錠剤コンベヤー１４の後部壁に対して平らにするために十分な圧力を加えることにより解放される。一旦、平らになると、ここで、ストラップ２０は棚２２から離れて、錠剤コンベヤー１４をその開放位置に回動可能にする。使用者が錠剤コンベヤー１４を解放するのを支援するために、矢印２４は、圧力が加えられるべき方向を全体的に示す錠剤コンベヤー１４に形成される。さらに、「押す」という単語２６が錠剤コンベヤー１４に形成される。
【０００９】
本発明の更なる態様によれば、ストラップ２０は、シャシー１２の抉り抜かれた部分２８内の凹所に置かれる。ストラップ２０を凹所に置くことは、ストラップ２０が損傷、あるいは偶発的に解放されることから保護することを含む多くの目的に役立つ。
【００１０】
錠剤コンベヤーを解放し、かつ錠剤を解放するために更なる段階を行わなければならないようにディスペンサーに構造要素を加えることによって更なるセキュリティを与え得ることに留意すべきである。例えば、錠剤コンベヤーが上向に回動する前に第一に適切な配向に回転しなければならないようにディスペンサーを変更することも可能である。
【００１１】
ディスペンサー１０はディスペンサー１０が端部で立つように形成される一対の隆起部３０及び３２を更に含む。この形状構成は、例えば、対向ディスプレー、あるいは直立姿勢のディスペンサーを医用キャビネットに貯蔵するために使用し得る。ディスペンサー１０は製品情報、使用方向、文字、グラフィック、あるいは他の印刷材料を含む貼付ラベルを受容するのに使用し得る正方形パネル３４を更に設けることが好ましい。別様に、正方形パネル３４は、ディスペンサー１０の使用者が錠剤がどのくらい残っているかを見るためにディスペンサー１０内を調べることを可能とするように透明になし得る。ディスペンサー１０の他の部分も透明になし得るか、あるいは、所望に応じて、ディスペンサー１０全体を透明にし得る。
【００１２】
図５〜図７は、錠剤１６が錠剤コンベヤーのポケット１８内に如何様に装填されるかを説明するディスペンサー１０の一連の透視図である。シャシー１２は分配される錠剤を保持する錠剤容器４０を含む。錠剤コンベヤー１４は、シャシー１２内で、図７に示す区画室４２内に回動可能に装着される。ディスペンサー１０は、錠剤容器４０とコンベヤー・ポケット１８との間の経路を共に規定する多くの内部表面４４を含む。図５〜図７に示すように、経路４４は漏斗状形状を有し、コンベヤー・ポケット１８に通じる直線状シュート４６に終端する。シュート４６は単一の錠剤１６6を保持するように寸法づけられる。従って、錠剤コンベヤー１４がその閉鎖位置にあり、かつ第１の錠剤１６ａが錠剤コンベヤー１８内に装填される場合、第２の錠剤１６ｂはシュート内に装填され、ポケット１８内で錠剤１６ａに当接する。以下に説明するように、シュート４６内の錠剤１６ｂはポケット１８内の錠剤１６ａと協働して、図１２の検討と共に以下に詳細に示すように、更なるセキュリティを与える。
【００１３】
錠剤コンベヤー１４がその閉鎖位置にある間、ディスペンサー１０内に封入された錠剤１６は、図３に示す錠剤コンベヤー１４内の受容ポケット１８内に錠剤１６を装填させるためにディスペンサー１０を傾斜させることによって一度に一つディスペンサー１０から取り出される。ディスペンサー１０の穏やかな揺れはポケット１８内に錠剤１６を装填する支援をし得る。ポケット１８内に最初の錠剤１６ａを装填するのに使用されるのと同じ動作がシュート４６内に第２の錠剤１６ｂを装填させることも理解される。
【００１４】
一旦、錠剤１６がポケット１８内に装填されたならば、錠剤コンベヤー１４は、該コンベヤーが棚２２から離れるようにラッチストラップ２０に圧力を加えることによって解放される。その後、錠剤コンベヤー１４は、ディスペンサー１０の外部にポケット１８を露出させて、その開放位置内に回動される。その後、錠剤１６はポケット１８から取り出すことができる。使用者がディスペンサー１０から別の錠剤１６を取り出したい場合、使用者は錠剤コンベヤー１４をその閉鎖位置に戻すように回動させ、錠剤コンベヤー１４を解放し、及びそれから錠剤コンベヤー１４をその開放位置に戻すように回動しなければならない。
【００１５】
図８〜図１０は、錠剤ディスペンサー１０を構築するために使用される種々の構成要素を説明する、異なる角度から見た一連の分解組立図である。本発明の位置態様によれば、ディスペンサーは、シャシー１２、錠剤コンベヤー１４、端部キャップ５０、及び底部プレート５２の４つの別個の部片から製造組立される。シャシー１２、錠剤コンベヤー１４、及び端部キャップ50は射出モールド成形技術を使用して製造組立し得る。また、底部プレート５２はより大きなプラスチック製シートからトリムし得る。所望に応じて、ディスペンサー１０の幾つか又は全ての構成要素は、これらが、更なる留め具の必要性無しに、互いにスナップ嵌合且つ安全に錠止するように構成し得る。あるいは、適切な接着剤又は溶接技術は互いに構成要素を取り付けるために使用し得る。ディスペンサー１０は単一の使い捨てユニットとし得るか、あるいは多数の用途のために構成し得ることにも留意すべきである。
【００１６】
図９に示すように、シャシー１２は錠剤容器４０がその後部で開放するように構成される。これは、錠剤１６が錠剤容器４０に迅速に装填されることを可能にする。装填操作は、手、あるいは機械によって行い得る。一旦、錠剤１６の所望の数が容器４０内に装填されると、その後、容器４０内部の錠剤１６を密封するために端部キャップ５０はシャシー１２に取り付けられる。上記したように、端部キャップ５０及びシャシー１２は、端部キャップ５０が所定位置に嵌合し且つ適所に錠止し得るように構成し得る。あるいは、端部キャップ５０、適切な接着剤又は溶接技術によって適所に保持し得る。
【００１７】
本発明の更なる態様によれば、錠剤ディスペンサー１０は、シャシー１２に未だ取り付けられない端部キャップ５０を具備して薬屋に供給される。従って、薬剤師は薬局でディスペンサー１０に装填し、次に、ディスペンサー１０内部の錠剤１６を密封するために適所に端部キャップ５０を嵌合させ得る。処方情報は、ディスペンサー１０上に、正方形パネル３４に添付される固着ラベル、あるいは他の幾つかの適切な位置に印刷し得る。錠剤コンベヤー１４はカバープレート５４を含む。この例では、カバープレート５４は円盤形状をしている。しかしながら、他の形状は本発明の精神から逸脱せずに使用し得る。ドーム５６はカバープレート５４内に形成される。ドーム５６はその開放位置内に錠剤コンベヤー１４を保持するために使用し得る把持面を与える。また、ドーム５６は、一般に、ディスペンサー１０の使用者に錠剤コンベヤーの回動運動を示す。
【００１８】
カバープレート５４から下向きに延在するのは面プレート58である。錠剤ポケットは面プレート５８内に形成される。面プレート５８は、錠剤コンベヤー１４がその閉鎖位置にある時にその底部端縁６０がコンベヤー区画室４２の底部上に載置するように寸法づけられる。この配置構成は、錠剤コンベアー１４が間違った方向に回動するのを防ぐ。さらに、面プレート５８は、錠剤コンベアー１４がその開放位置にある時に錠剤貯蔵器４０及びコンベアー区画室１８を接続するシュート４６を塞ぐ働きをする。
【００１９】
錠剤コンベヤー１４は、カバープレート５４から下向きに延在する後部壁６２を更に含む。ラッチストラップ２０は、この後部壁６２に固着される。面プレート５８と後部壁６２との間でコンベヤー区画室の受容開口６８内に錠止する結節６６を形成された一対の耳部６４が面プレート５８と後部壁６２との間にある。結節６６は、錠剤コンベヤー１４のための回動点として働く。上記したように、錠剤コンベヤー１４は射出モールド成形技術を使用して適切に製造組立し得る。以下に説明するように、弾発的に変形可能なストラップ２０に加えて、錠剤コンベヤー１４の残部も弾発的に変形可能である一方で、セキュリティ機能の不備を防ぐために十分堅固であることが望ましい。
【００２０】
図１及び１１に示すように、シャシー１２の底部側は不規則に形成される。従って、底部プレート５２はシャシー１２の底部側をカバーするために取り付けられる。組み立てられたディスペンサー１０の底部側に仕上げられた外観を与えることに加えて、底部プレート５２は、子供が、おそらくはそのセキュリティ機能に干渉して、錠剤コンベヤー１４の下側へのアクセスを得ることを阻止するようにも働く。
【００２１】
図１２は、本発明の操作を例示するディスペンサー１０の横断面図を示す。図１２に示すように、錠剤１６はポケット１８まで案内される。ポケット１８は単一の錠剤１６だけを保持するような形状及び寸法を有する。所望により、ポケット１８は本発明の精神から逸脱せずに、２つ以上の錠剤１６を保持するように変更し得る。
【００２２】
本発明の更なる態様によれば、ポケット１８は錠剤１６の直径より僅かに深くなるように寸法づけられる。従って、第１の錠剤１６ａがポケット１８内に装填された後、シュート４６内の別の錠剤１６ｂはポケット１８内に僅かに突出する。錠止ストラップ２０が棚２２を押圧して離れる場合でさえ、ポケット１８内に突出する第２の錠剤１６ｂの部分は錠剤コンベヤー１４の回動に干渉する傾向がある。
【００２３】
第２の錠剤１６ｂは、錠剤コンベアー１４に更なる圧力を加えることによりポケット１８から押し出される。この更なる圧力は、錠剤コンベアー１４の前面５８を僅かに変形させ、ポケット１８内の錠剤１６ａをして、シュート４６内の錠剤１６ｂを押して経路から外し、これにより、錠剤コンベヤーがその開放位置内に回動されることを可能にせしめる。したがって、ラッチストラップ２０に不備があっても、シュート４６内の錠剤１６ｂを経路から外すように押すために錠剤コンベヤー１４になお圧力が加えられる時、子供がディスペンサー１０から錠剤を取り出すことはなお難しいことが理解される。
【００２４】
図１３は、本発明による子供が悪戯できないディスペンサーの操作を説明する流れ図１００を示す。第１段階１０２では、錠剤はディスペンサー１０の錠剤区画室４０内に密封される。この段階は、製造設備で、薬屋で、あるいは家でさえ行い得る。次の段階１０４では、錠剤コンベヤーがその閉鎖位置にある間、錠剤は錠剤コンベヤー・ポケット内に挿入される。段階１０６では、錠剤コンベヤーは解放される。上記したように、錠剤コンベヤーは適切な錠止装置を使用して錠止される。これは、棚２２2に対して当接する変形可能な錠止ストラップ２０を含むのが好ましい。段階１０６は、この場合、表示された方向に錠止するストラップウ２０に圧力を加えることによって行われる。更に上述したように、更なる錠止作用は、錠剤コンベヤー・ポケット内に突出する第２の錠剤によって供給し得る。この場合、段階１０６では、補足圧力は第２の錠剤を経路から外に押し出すように要求し得る。段階１０８では、錠剤コンベヤーは上向に回動するか、さもなくば、段階１１０におけるディスペンサーから取り出される錠剤を露出すべく移動する。
【００２５】
段階１１２では、錠剤コンベヤーはその閉鎖位置に返却される。それは錠剤コンベヤーを再錠止めする。段階１０４〜１１２は、必要に応じて、更なる錠剤を取り出すために繰り返される。
【００２６】
したがって、錠剤ディスペンサーは子供が錠剤へのアクセスを得ることを困難にする多くの態様を有することが理解される。第一に、子供は錠剤をポケット内に移動させなければならない。それは或る量の調整を要する。その後、子供は錠剤コンベヤーを解放する試みをする間にポケット内の錠剤の位置を維持しなければならない錠剤コンベヤーを解放することは、ストラップの一方向に圧力が働き、錠剤がポケット内に保持され続けることを確かめるように注意しながらも、錠剤コンベヤーを回動する間にその圧力を維持することを要する。子供が、ともかくも、どうにかして１つの錠剤を解放した場合、子供は錠剤コンベヤーを再錠止し、かつ第２の錠剤を解放するために上記段階を繰り返さなければならない。従って、ディスペンサー内の錠剤への偶発的アクセスはディスペンサーの全内容物ではなく一度の一錠の錠剤に制限される。子供がディスペンサーから錠剤を取り出すのに必要な技術をどうにかして繰り返すことができても、子供がディスペンサーから多数の錠剤を取り出すのに必要な時間及び努力は、大人が子供が何を行っているかに気づき、適時の介在をすることを増加させ得る。また、子供は、ディスペンサーから多数の錠剤を取り出す前に飽きてしまうか、あるいは挫折し得る。
【００２７】
さらに、ラッチストラップが失敗しても、変形可能な錠剤コンベヤーの使用によって与えられる幾つかのフォールバックがある。上述したように、ラッチストラップを解放させることに加えて、ポケット内の錠剤コンベヤーが第２の錠剤をシュート内に押圧して離すことを可能にすべく、錠剤コンベヤーの正面を変形させるために圧力を加えなければならない。さらに、大人がディスペンサーを偶発的に開放したままにするか、偶発的に容器内の錠剤へのアクセスを可能にする態様で、適切にディスペンサーを閉じることに失敗することは不可能である。
【００２８】
上記した説明は当業者が本発明を実施可能にする詳細を含むが、上述の記載はその性質上例示的であり、かつ多くの変更及び変形は熟達した技術を有する当業者には自明である。従って、本願明細書に記載した発明は添付の特許請求の範囲のみによって規定され、しかも特許請求の範囲は従来技術によって許容されるだけ広く解釈されることが意図される。
【図面の簡単な説明】
【００２９】
【図１】本発明の第１態様による錠剤ディスペンサーの斜視図である。
【図２】図１に示す錠剤ディスペンサーを異なる角度から見た一連の斜視図である。
【図３】図１に示す錠剤ディスペンサーを異なる角度から見た一連の斜視図である。
【図４】図１に示す錠剤ディスペンサーを異なる角度から見た一連の斜視図である。
【図５】図１に示す錠剤ディスペンサーの一連の透視図である。
【図６】図１に示す錠剤ディスペンサーの一連の透視図である。
【図７】図１に示す錠剤ディスペンサーの一連の透視図である。
【図８】図１に示す錠剤ディスペンサーの一連の分解組立図である
【図９】図１に示す錠剤ディスペンサーの一連の分解組立図である。
【図１０】図１に示す錠剤ディスペンサーの一連の分解組立図である。
【図１１】図１に示す錠剤ディスペンサーの断面図である。
【図１２】図１に示す錠剤ディスペンサーの近接断面図である。
【図１３】本発明の態様による安全に錠剤を包装する方法の流れ図である。
【符号の説明】
【００３０】
１０  錠剤ディスペンサー
１２  シャシー
１４  錠剤コンベヤー
１６  錠剤
１６ａ、１６ｂ  隆起部
１８  ポケット
２０  ストラップ
２２  棚
２８  抉り抜かれた部分
３０、３２  隆起部
３４  正方形パネル
４０  錠剤容器
４２  区画室
４４  経路
４６  シュート
５０  端部キャップ
５２  底部プレート
５４  カバープレート
５６  ドーム
５８  面プレート
６０  底部端縁
６２  後部壁
６４  耳部
６６  結節
６８  受容開口
【図１】
2006500291.tif 000003
【図２】
2006500291.tif 000004
【図３】
2006500291.tif 000005
【図４】
2006500291.tif 000006
【図５】
2006500291.tif 000007
【図６】
2006500291.tif 000008
【図７】
2006500291.tif 000009
【図８】
2006500291.tif 000010
【図９】
2006500291.tif 000011
【図１０】
2006500291.tif 000012
【図１１】
2006500291.tif 000013
【図１２】
2006500291.tif 000014
【図１３】
2006500291.tif 000015
【手続補正書】
【提出日】平成16年10月7日(2004.10.7)
【手続補正１】
【補正対象書類名】特許請求の範囲
【補正対象項目名】全文
【補正方法】変更
【補正の内容】
【特許請求の範囲】
【請求項１】
錠剤ディスペンサーであって、
錠剤を保持する貯蔵器が内部に形成されたシャシーと、
前記シャシーに回動可能に装着された錠剤コンベヤーであって、前記錠剤コンベヤーは錠剤を受容するポケットを内部に含み、前記錠剤コンベヤーは前記ポケットが前記ディスペンサーの外側からアクセスク不可能な閉鎖位置と、前記ポケット前記ディスペンサーの外側からアクセス可能な開放位置との間で回動可能であり、前記シャシーは前記錠剤コンベヤーがその閉鎖位置にある時に前記貯蔵器と前記錠剤コンベヤーとの間に経路を規定する少なくとも１つの表面を含み、前記経路は前記錠剤コンベヤーがその開放位置にある時に該錠剤コンベヤーによって塞がれる、前記錠剤コンベヤーと、
前記錠剤コンベヤーをその閉鎖位置に解放可能に錠止する錠止機構であって、前記錠剤コンベヤーはカバープレート及び該カバープレートから下向きに延在する面プレートを備え、前記ポケットは前記面プレートに形成され、前記錠剤コンベヤーは前記カバープレートから下向きに延在する後部プレートを含む、錠剤ディスペンサーにおいて、
前記錠止機構は前記後部プレートに付された弾発的に変形可能なストラップを備え、前記ストラップは前記錠剤コンベヤーをその閉鎖位置に保持するために前記シャシー上の棚に被さることを特徴とする錠剤ディスペンサー。
【請求項２】
前記錠剤コンベヤーは前記シャシーの区画室内に装着され、前記面プレートの底部端縁が前記区画室の表面に当接する、請求項２に記載のディスペンサー。
【請求項３】
前記錠剤コンベヤーがその開放位置にある時、前記面プレートは前記錠剤区画室と前記ポケットとの間の経路を塞ぐ、請求項２に記載のディスペンサー。
【請求項４】
前記錠剤コンベヤーは前記カバープレートから下向きに延在する一対の耳部を含み、各耳部には結節が形成され、前記結節は、前記錠剤コンベヤーが該結節の回りで回動するように前記シャシーの受容開口内に嵌合する、請求項２に記載のディスペンサー。
【請求項５】
前記ストラップは、前記後部プレートから離れて、外向きに湾曲し、前記ストラップに圧力を加えることにより該ストラップを前記後部プレートに対して平らにする、請求項１に記載のディスペンサー。
【請求項６】
前記錠剤貯蔵器と前記錠剤コンベヤー・ポケットとの間の前記経路は漏斗形状をしている、請求項１に記載のディスペンサー。
【請求項７】
前記錠剤貯蔵器と前記錠剤コンベヤー・ポケットとの間の前記経路は、１つの錠剤を保持するように寸法づけられたシュートに終端する、請求項６に記載のディスペンサー。
【請求項８】
錠剤が前記錠剤コンベヤー・ポケットに装填される時に、前記シュート内の錠剤が前記錠剤コンベヤー・ポケット内に突出するように、前記錠剤コンベヤー・ポケットは１つの錠剤より深く寸法づけられる、請求項７に記載のディスペンサー。
【請求項９】
前記錠剤コンベヤーが弾発性変形可能材料から製造組立され、その結果、圧力が前記錠止ストラップに加えられる時、前記シュート内の錠剤が前記錠剤コンベヤー・ポケット内にもはや突出しないように前記錠剤コンベヤー内の錠剤が該シュート内の錠剤を押圧する、請求項８に記載のディスペンサー。
【請求項１０】
子供が悪戯できない態様で錠剤を包装する方法であって、
ディスペンサーの貯蔵器内に錠剤を密封する段階と、
前記貯蔵器からの錠剤を前記ディスペンサーに回動可能に装着された錠剤コンベヤーのポケット内へ移動させる段階と、
前記錠剤コンベヤーを解放する段階と、
前記ポケットが前記ディスペンサーの外側からアクセス不可能な閉鎖位置から、前記ポケットが前記ディスペンサーの外側からアクセス可能な開放位置に前記錠剤コンベヤーを回動させる段階と、
前記ポケットから前記錠剤を取除く段階であって、錠剤コンベヤーを解放する前記段階は前記錠剤コンベヤーの後部面に付した変形可能なラッチストラップに圧力を加える段階を含む、前記ポケットから前記錠剤を取除く段階と、を備える方法。
【請求項１１】
錠剤コンベヤーを解放する前記段階は、前記コンベヤー・ポケット内で突出する第２の錠剤がもはや前記ポケット内に突出しないように圧力を加える段階を更に含む、請求項１０に記載の方法。
【手続補正２】
【補正対象書類名】明細書
【補正対象項目名】０００３
【補正方法】変更
【補正の内容】
【０００３】
本発明は、錠剤ディスペンサーであって、
錠剤を保持する貯蔵器が内部に形成されたシャシーと、
前記シャシーに回動可能に装着された錠剤コンベヤーであって、前記錠剤コンベヤーは錠剤を受容するポケットを内部に含み、
前記錠剤コンベヤーは前記ポケットが前記ディスペンサーの外側からアクセスク不可能な閉鎖位置と、前記ポケット前記ディスペンサーの外側からアクセス可能な開放位置との間で回動可能であり、
前記シャシーは前記錠剤コンベヤーがその閉鎖位置にある時に前記貯蔵器と前記錠剤コンベヤーとの間に経路を規定する少なくとも１つの表面を含み、前記経路は前記錠剤コンベヤーがその開放位置にある時に該錠剤コンベヤーによって塞がれる、前記錠剤コンベヤーと、
前記錠剤コンベヤーをその閉鎖位置に解放可能に錠止する錠止機構であって、前記錠剤コンベヤーはカバープレート及び該カバープレートから下向きに延在する面プレートを備え、前記ポケットは前記面プレートに形成され、前記錠剤コンベヤーは前記カバープレートから下向きに延在する後部プレートを含む、錠剤ディスペンサーにおいて、
前記錠止機構は前記後部プレートに付された弾発的に変形可能なストラップを備え、前記ストラップは前記錠剤コンベヤーをその閉鎖位置に保持するために前記シャシー上の棚に被さることを特徴とする錠剤ディスペンサーを提供する。
【手続補正３】
【補正対象書類名】明細書
【補正対象項目名】０００４
【補正方法】変更
【補正の内容】
【０００４】
ここで、本発明の実施形態を、以下の詳細な説明及び添付の図面を参照して実施例により説明する。
【国際調査報告】
2006500291.tif 000016
2006500291.tif 000017
2006500291.tif 000018